(57)【要約】      （修正有）【課題】回転駆動される対になった折りローラの間に押込み部材により用紙を押し込んで中折りするにあたり、複数枚の用紙をまとめて中折りする場合にも、用紙が破れたり、折りローラ側の用紙と押込み部材側の用紙との間で中折りされる位置がずれたりするのを簡単な構成により防止し、複数枚の用紙をまとめて適切に中折りできるようする。【解決手段】回転駆動される対になった折りローラ２３間に用紙ｓを押込み部材２２により押し込み、対になった折りローラのニップ部間において用紙を中折りさせて、中折りされた用紙を対になった折りローラから送り出す用紙折り装置において、上記の押込み部材を折りローラのニップ部間を超えた位置まで押し込むようにした。【選択図】図３
2012224429.tif 000002
【特許請求の範囲】
【請求項１】
回転駆動される対になった折りローラの間に用紙を押込み部材により押し込み、対になった折りローラのニップ部間において用紙を中折りさせて、中折りされた用紙を対になった折りローラから送り出す用紙折り装置において、上記の押込み部材を折りローラのニップ部間を超えた位置まで押し込むことを特徴とする用紙折り装置。
【請求項２】
請求項１に記載の用紙折り装置において、上記の押込み部材を対になった折りローラのニップ部間に押し込む押込み速度が、上記の折りローラの周速度以上であることを特徴とする用紙折り装置。
【請求項３】
請求項１又は請求項２に記載の用紙折り装置において、中折りされた用紙が対になった折りローラのニップ部間を通過するまで、上記の押込み部材を折りローラのニップ部間を超えた位置に押し込んだ状態で停止させることを特徴とする用紙折り装置。
【請求項４】
請求項１〜請求項３の何れか１項に記載の用紙折り装置において、上記の押込み部材を折りローラのニップ部間を超えた位置まで押し込んだ状態で、上記の押込み部材が折りローラのニップ部間に挟持されないことを特徴とする用紙折り装置。
【請求項５】
請求項１〜請求項４の何れか１項に記載の用紙折り装置において、開口部が形成された板状の押込み部材を用い、この押込み部材を折りローラのニップ部間を超えた位置まで押し込んだ状態で、この押込み部材の開口部内に折りローラのニップ部分が位置することを特徴とする用紙折り装置。
【発明の詳細な説明】
【技術分野】
【０００１】
本発明は、用紙を中折りするのに使用する用紙折り装置に関するものである。特に、回転駆動される対になった折りローラの間に、用紙を押込み部材により押し込み、対になった折りローラのニップ部間において用紙を中折りさせて、中折りされた用紙を対になった折りローラから送り出す用紙折り装置において、複数枚の用紙をまとめて中折りする場合に、用紙が破れたり、折りローラ側の用紙と押込み部材側の用紙との間で中折りされる位置がずれたりするのを簡単な構成により防止し、複数枚の用紙をまとめて適切に中折りできるようにした点に特徴を有するものである。
【背景技術】
【０００２】
従来から、複写機等の画像形成装置において画像形成された用紙を用紙折り装置によって中折りさせることが行われている。
【０００３】
そして、このような用紙折り装置としては、一般に、回転駆動される対になった折りローラの間に用紙を押込み部材により押し込み、対になった折りローラのニップ部間において用紙を中折りさせるようにしたものが使用されていた。
【０００４】
ここで、このような用紙折り装置において、押込み部材により複数枚の用紙をまとめて回転駆動される対になった折りローラの間に押し込んで、複数枚の用紙をまとめて中折りさせるようにした場合、折りローラと直接接触する折りローラ側の用紙は折りローラの回転に伴ってそのまま搬送されるようになるが、押込み部材側の用紙は押込み部材との間の接触抵抗によって折りローラの回転による搬送力が低下した。そして、このような搬送力の違いにより、用紙が破れたり、折りローラ側の用紙と押込み部材側の用紙との間で中折りされる位置がずれたりするという問題があった。
【０００５】
また、従来においては、特許文献１に示されるように、回転軸に所要間隔を介して一対の幅狭のロール部が設けられた補助ロールを対にして、上記の対になった折りローラより前の位置に設けると共に、板状になった押込み部材において、上記の補助ローラのロール部と対応した部分に切欠きを形成し、この押込み部材が補助ローラのロール部と接触しないようにして、この押込み部材により用紙を対になった補助ローラの間に導いた後、この補助ローラの回転に伴って上記の用紙を折りローラの間に導き、このように導かれた用紙を折りローラのニップ部間において中折りさせるようにしたものが提案されている。
【０００６】
しかし、このように補助ローラを対にして折りローラより前の位置に設けるようにした場合、装置が大型化すると共にコストも高くつき、また用紙を補助ローラの回転により折りローラに導く途中において用紙がずれたりして、複数枚の用紙をまとめて中折りする際に、中折りされる位置がずれたりするという問題があった。
【先行技術文献】
【特許文献】
【０００７】
【特許文献１】特開昭６４−６９４６５号公報
【発明の開示】
【発明が解決しようとする課題】
【０００８】
本発明は、回転駆動される対になった折りローラの間に、用紙を押込み部材により押し込み、対になった折りローラのニップ部間において用紙を中折りさせるようにした用紙折り装置における上記のような問題を解決することを課題とするものである。
【０００９】
すなわち、上記の用紙折り装置において、複数枚の用紙をまとめて中折りする場合に、用紙が破れたり、折りローラ側の用紙と押込み部材側の用紙との間で中折りされる位置がずれたりするのを簡単な構成により防止し、複数枚の用紙をまとめて適切に中折りできるようすることを課題とするものである。
【課題を解決するための手段】
【００１０】
本発明においては、上記のような課題を解決するため、回転駆動される対になった折りローラの間に用紙を押込み部材により押し込み、対になった折りローラのニップ部間において用紙を中折りさせて、中折りされた用紙を対になった折りローラから送り出す用紙折り装置において、上記の押込み部材を折りローラのニップ部間を超えた位置まで押し込むようにした。
【００１１】
このように、押込み部材を折りローラのニップ部間を超えた位置まで押し込むと、複数枚の用紙をまとめて中折りする場合においても、押込み部材により複数枚の用紙がまとめて折りローラのニップ部間に押し込まれて中折りされるようになる。
【００１２】
ここで、上記の押込み部材を折りローラのニップ部間を超えた位置まで押し込むにあたり、押込み部材を対になった折りローラのニップ部間に押し込む押込み速度を上記の折りローラの周速度以上にすると、複数枚の用紙をまとめて折りローラのニップ部間に押し込む場合に、折りローラに接触した用紙が折りローラによって先に送られるのが防止され、複数枚の用紙がまとめて折りローラのニップ部間に導かれて中折りされるようになる。
【００１３】
また、上記のように押込み部材を折りローラのニップ部間を超えた位置まで押し込んだ後、中折りされた用紙が対になった折りローラのニップ部間を通過するまで、押込み部材を折りローラのニップ部間を超えた位置に押し込んだ状態で停止させると、この押込み部材を押込み方向と逆方向に移動させて元の位置に戻す際に、中折りされた用紙がこの押込み部材に引っ張られるということがなく、まとめて中折りされた複数枚の用紙がずれたりするのが防止される。
【００１４】
また、上記の押込み部材を折りローラのニップ部間を超えた位置まで押し込んだ状態で、上記の押込み部材が折りローラのニップ部間に挟持されないようにすると、中折りされた用紙だけが折りローラのニップ部間に挟持された状態で、折りローラが回転されるようになり、折りローラを回転させるのに加わる負荷が軽減されると共に、この折りローラの回転に伴って中折りされた用紙だけが適切に搬送されるようになる。
【００１５】
そして、このように押込み部材を折りローラのニップ部間を超えた位置まで押し込んだ状態で、上記の押込み部材が折りローラのニップ部間に挟持されないようにするにあたっては、例えば、開口部が形成された板状の押込み部材を用い、この押込み部材を折りローラのニップ部間を超えた位置まで押し込んだ状態で、この押込み部材の開口部内に折りローラのニップ部分を位置させるようにしたり、押込み部材に線状の部材を用いるようにすることができる。
【発明の効果】
【００１６】
本発明の用紙折り装置においては、上記のように押込み部材を折りローラのニップ部間を超えた位置まで押し込むようにしたため、複数枚の用紙をまとめて中折りする場合においても、押込み部材により複数枚の用紙がまとめて折りローラのニップ部間に押し込まれて中折りされるようになり、用紙が破れたり、折りローラ側の用紙と押込み部材側の用紙との間で中折りされる位置がずれたりするのが防止され、複数枚の用紙をまとめて適切に中折りできるようになる。
【図面の簡単な説明】
【００１７】
【図１】本発明の一実施形態に係る用紙折り装置を使用して、画像形成装置により画像が形成された用紙を中折りする例を示した概略説明図である。
【図２】上記の実施形態に係る用紙折り装置において、スタッカに所定枚数の用紙が保持された場合に、折りローラを回転させると共に、押込み部材を押込み方向に移動させる状態を示した概略平面図及び概略側面図である。
【図３】上記の実施形態に係る用紙折り装置において、中折りされた用紙の先端が折りローラのニップ部間を超えると共に、押込み部材の開口部内に折りローラのニップ部分が入り込む位置まで、押込み部材を押し込んで停止させた状態を示した概略平面図及び概略側面図である。
【図４】上記の実施形態に係る用紙折り装置において、中折りされた用紙の後端が回転する折りローラのニップ部間を通過したことを検知センサが検知する状態を示した概略平面図及び概略側面図である。
【図５】上記の実施形態に係る用紙折り装置において、中折りされた用紙の後端が回転する折りローラのニップ部間を通過した後、押込み部材を押込み方向と逆方向に移動させて、押し込みを行う前の元の位置に戻す状態を示した概略平面図及び概略側面図である。
【図６】上記の実施形態に係る用紙折り装置において、所定枚数の用紙を中折りする動作を示したフローチャートである。
【図７】上記の実施形態に係る用紙折り装置において、所定枚数の用紙を中折りする動作の変更例を示したフローチャートである。
【図８】上記の実施形態の変更例に係る用紙折り装置において、所定枚数の用紙を中折りする動作を示したフローチャートである。
【図９】上記の実施形態に係る用紙折り装置において、押込み部材を押込み方向と逆方向に移動させて、押し込みを行う前の元の位置に戻す際に、対になった折りローラを離間させた状態を示した概略側面図である。
【発明を実施するための最良の形態】
【００１８】
次に、この発明の実施形態に係る用紙折り装置を添付図面に基づいて具体的に説明する。なお、本発明に係る用紙折り装置は、下記の実施形態に示したものに限定されず、その要旨を変更しない範囲において適宜変更して実施できるものである。
【００１９】
この実施形態においては、図１に示すように、複写機等の画像形成装置１において画像形成された用紙ｓを排出ローラ１ａによって用紙後処理装置１０に送り出し、このように用紙後処理装置１０に送り出された用紙ｓを用紙折り装置２０によって中折りする場合について説明する。
【００２０】
ここで、上記の用紙後処理装置２においては、排出ローラ１ａによって用紙後処理装置１０に送り出された用紙ｓを搬送させる搬送ローラ１１ａ，１１ｂ，１１ｃが設けられている。
【００２１】
そして、上記のように用紙後処理装置２に送り出された用紙ｓに対して中折り処理を行わない場合には、上記の搬送ローラ１１ａ，１１ｂ，１１ｃによって搬送される用紙ｓを、切換え部材１２により排紙ローラ１３に導き、この排紙ローラ１３から第１排紙トレイ１４に排紙させるようにする。
【００２２】
一方、用紙後処理装置２に送り出された用紙ｓに対して中折り処理を行う場合には、搬送ローラ対１１ａ，１１ｂ，１１ｃによって搬送される用紙ｓを＜切換え部材１２により折り処理経路に導き、この折り処理経路に設けられた搬送ローラ１５ａ，１５ｂを介して用紙折り装置２０に導くようにする。
【００２３】
そして、この用紙折り装置２０においては、上記の搬送ローラ１５ａ，１５ｂによって搬送されてきた用紙ｓをスタッカ２１に保持させ、このスタッカ２１に保持された用紙ｓを、中折りする位置において押込み部材２２により回転駆動される対になった折りローラ２３の間に押し込み、この折りローラ２３のニップ部間において用紙ｓを中折りさせるようにしている。そして、このように中折りさせた用紙ｓをこの折りローラ２３から送り出して搬送ローラ１６に導き、この搬送ローラ１６により搬送させて、中折りされた用紙ｓを第２排紙トレイ１７に排紙させるようにしている。
【００２４】
ここで、この実施形態の用紙折り装置２０においては、図２（Ａ）等に示すように、開口部２２ａが形成された板状の押込み部材２２を用いると共に、上記の折りローラ２３のニップ部分より用紙ｓの送り方向下流側における折りローラ２３の近傍に検知センサ２４を設けている。
【００２５】
そして、上記のスタッカ２１に所定枚数の用紙ｓが保持された場合には、図２（Ａ），（Ｂ）に示すように、上記の対になった折りローラ２３を回転させると共に、上記の押込み部材２２を折りローラ２３のニップ部間に用紙ｓを押し込む方向に移動させる。なお、スタッカ２１に保持させる用紙ｓの枚数は、操作パネル（図示せず）等によって予め設定しておき、１枚であっても複数枚であってもよい。
【００２６】
そして、図３（Ａ），（Ｂ）に示すように、上記の押込み部材２２により中折りさせる用紙ｓの先端が折りローラ２３のニップ部間を超えると共に、この押込み部材２２の開口部２２ａ内に折りローラ２３のニップ部分が入り込む位置まで、押込み部材２２を押し込み、この位置で押込み部材２２を停止させる。
【００２７】
このように押込み部材２２により中折りさせる用紙ｓの先端を折りローラ２３のニップ部間を超えた位置まで押し込むと、複数枚の用紙ｓがまとめて折りローラ２３のニップ部間に押し込まれて、中折りされるようになる。
【００２８】
また、上記のように折りローラ２３のニップ部分が押込み部材２２の開口部２２ａ内に入り込むようにすると、中折りされた用紙ｓだけが折りローラ２３のニップ部間に挟持された状態で、折りローラ２３が回転するようになり、折りローラ２３を回転させるのに加わる負荷が軽減されると共に、この折りローラ２３の回転に伴って中折りされた用紙ｓだけが適切に搬送されるようになる。
【００２９】
さらに、この実施形態においては、上記のように押込み部材２２により用紙ｓを折りローラ２３のニップ部間を超えた位置まで押し込むにあたり、この押込み部材２２の押込み速度を、上記の折りローラ２３の周速度以上になるようにしている。
【００３０】
このようにすると、上記のように複数枚の用紙ｓをまとめて折りローラ２３のニップ部間に押し込む場合に、折りローラ２３に接触した用紙ｓが折りローラ２３によって先に送られるのが防止され、複数枚の用紙ｓがまとまった状態で確実に折りローラ２３のニップ部間に導かれて中折りされるようになる。
【００３１】
そして、上記のように押込み部材２２を停止させた状態で、折りローラ２３の回転に伴って中折りされた用紙ｓを搬送させ、図４（Ａ），（Ｂ）に示すように、中折りされた用紙ｓの後端がこの折りローラ２３のニップ部間を通過した場合には、これを上記の検知センサ２４によって検知するようにしている。
【００３２】
そして、このように検知センサ２４により中折りされた用紙ｓの後端が折りローラ２３のニップ部間を通過したことが検知された場合には、上記の折りローラ２３の回転を停止させ、或いはこの折りローラ２３を逆方向に回転させ、上記のように折りローラ２３のニップ部間を超えて押し込まれた押込み部材２２を、図５（Ａ），（Ｂ）に示すように、押込み方向とは逆方向に移動させて、折りローラ２３のニップ部間を通して押し込みを行う前の元の位置に戻すようにする。
【００３３】
このように、中折りされた用紙ｓが折りローラ２３のニップ部間を通過した後、押込み部材２２を押込み方向と逆方向に移動させて元の位置に戻すようにすると、中折りされた用紙ｓがこの押込み部材２２に引っ張られるということがなく、まとめて中折りされた複数枚の用紙ｓがずれたりするのが防止される。
【００３４】
次に、この実施形態の用紙折り装置２０において、所定枚数の用紙ｓを中折りする動作を、図６に示すフローチャートに基づいて説明する。
【００３５】
先ず、ステップＳ１において、用紙ｓをスタッカ２１に保持させる用紙保持動作を行い、ステップＳ２において、所定枚数の用紙ｓの保持が終了したかを判断する。そして、所定枚数の用紙ｓの保持が終了していない場合には、ステップＳ１に戻り、所定枚数の用紙ｓの保持が終了するまで、この操作を繰り返して行う。
【００３６】
そして、ステップＳ２において、所定枚数の用紙ｓの保持が終了したと判断された場合には、ステップＳ３において、上記の折りローラ２３を中折りする方向に回転させると共に、ステップＳ４において、押込み部材２２を押込み方向に移動させる押込み動作を行う。
【００３７】
次いで、ステップＳ５において、押込み部材２２が、折りローラ２３のニップ部間を超えて、押込み部材２２の開口部２２ａ内に折りローラ２３のニップ部分が入り込む押込み位置まで押し込まれたかを判断し、押込み位置に達していない場合には、押込み部材２２が押込み位置に押し込まれるまで、押込み部材２２の押込み動作を続けて行い、押込み部材２２が押込み位置まで押し込まれた場合には、ステップＳ６に進んで、押込み部材２２の押込み動作を停止させる。
【００３８】
次いで、ステップＳ７において、上記の検知センサ２４が、折りローラ２３の回転により搬送される中折りされた用紙ｓの後端の通過を検知したかを判断し、検知されない場合には、折りローラ２３の回転による中折りされ用紙ｓの搬送を続ける一方、中折りされた用紙ｓの後端の通過を検知した場合には、ステップＳ８に進み、折りローラ２３の回転を停止させた後、ステップ９に進んで、上記の押込み部材２２を押込み方向と逆方向に移動させる戻し動作を行う。
【００３９】
そして、ステップＳ１０において、押込み部材２２が押込み動作を行う前の元の位置に復帰したかを判断し、押込み部材２２が元の位置に復帰していない場合には、押込み部材２２が元の位置に復帰されるまで、押込み部材２２を戻す戻し動作を続けて行い、押込み部材２２が元の位置に復帰した場合には、ステップＳ１１に進んで、押込み部材２２を戻す戻し動作を停止させて終了する。
【００４０】
なお、図５に示すフローチャートにおいては、中折りされた用紙ｓの後端の通過を検知した場合には、折りローラ２３の回転を停止させて、押込み部材２２を押込み方向と逆方向に移動させる戻し動作を行うようにしたが、中折りされた用紙ｓの後端の通過を検知した場合、上記の折りローラ２３を中折り時とは逆方向に回転させて、押込み部材２２を押込み方向と逆方向に移動させるようにすることもできる。
【００４１】
このように中折りされた用紙ｓの後端の通過を検知した場合、上記の折りローラ２３を中折り時とは逆方向に回転させて、押込み部材２２を押込み方向と逆方向に移動させる場合の動作を、図７に示すフローチャートに基づいて説明する。
【００４２】
この場合においても、上記の検知センサ２４が、折りローラ２３の回転により搬送される中折りされた用紙ｓの後端の通過を検知したかを判断するステップＳ７の段階までは、上記の図５に示すフローチャートと同様にして行い、中折りされた用紙ｓの後端の通過を検知した場合には、ステップＳ８ａに進み、折りローラ２３を中折り時とは逆回転させて、ステップ９に進み、上記の押込み部材２２を押込み方向と逆方向に移動させる戻し動作を行う。
【００４３】
そして、ステップＳ１０において、押込み部材２２が押込み動作を行う前の元の位置に復帰したかを判断し、押込み部材２２が元の位置に復帰していない場合には、押込み部材２２が元の位置に復帰されるまで、折りローラ２３を中折り時と逆回転させた状態で、押込み部材２２を戻す戻し動作を続けて行い、押込み部材２２が元の位置に復帰した場合には、ステップＳ１０ａに進んで、押込み部材２２を戻す戻し動作及び折りローラ２３の逆回転を停止させて終了する。
【００４４】
また、上記の実施形態においては、中折りされた用紙ｓの後端が折りローラ２３のニップ部間を通過したことを、上記の検知センサ２４によって検知し、これに基づいて、折りローラ２３の回転を停止させ、或いは折りローラ２３を逆転させるようにしたが、中折りされた用紙ｓの後端が折りローラ２３のニップ部間を通過したことを検知する方法は、特にこのようなものに限定されない。
【００４５】
例えば、用紙ｓの大きさ、折りローラ２３の回転時における周速度等を考慮して、折りローラ２３の回転開始、或いは押込み部材２２による押込み動作開始から、中折りされた用紙ｓの後端が折りローラ２３のニップ部間を通過するまでに必要な折りローラ２３の回転時間を予め算出して、タイマー（図示せず）により折りローラ２３を回転させる時間を予めセットし、セット時間が経過した後、折りローラ２３の回転を停止させるようにすることもできる。
【００４６】
ここで、このようにタイマー（図示せず）により折りローラ２３を回転させる時間を予めセットする場合の動作を、図７に示すフローチャートに基づいて説明する。
【００４７】
この場合にも、ステップＳ２１において、用紙ｓをスタッカ２１に保持させる用紙保持動作を行い、ステップＳ２２において、所定枚数の用紙ｓの保持が終了したかを判断する。そして、所定枚数の用紙ｓの保持が終了していない場合には、ステップＳ２１に戻り、所定枚数の用紙ｓの保持が終了するまで、この操作を繰り返して行う。
【００４８】
そして、ステップＳ２２において、所定枚数の用紙ｓの保持が終了したと判断された場合には、ステップＳ２３において、タイマーにより折りローラ２３を回転させる時間ｔａを設定した後、ステップＳ２４において、上記の折りローラ２３を中折りする方向に回転させると共に、ステップＳ２５において、押込み部材２２を押込み方向に移動させる押込み動作を行う。
【００４９】
次いで、ステップＳ２６において、押込み部材２２が、折りローラ２３のニップ部間を超えて、押込み部材２２の開口部２２ａ内に折りローラ２３のニップ部分が入り込む押込み位置まで押し込まれたかを判断し、押込み位置に達していない場合には、押込み部材２２が押込み位置に押し込まれるまで、押込み部材２２の押込み動作を続けて行い、押込み部材２２が押込み位置まで押し込まれた場合には、ステップＳ２７に進んで、押込み部材２２の押込み動作を停止させる。
【００５０】
次いで、ステップＳ２８において、折りローラ２３の回転時間ｔがタイマーにより設定された時間ｔａ以上（ｔ≧ｔａ）であるかを判断し、タイマーにより設定された時間ｔａに達していない場合には、折りローラ２３の回転によって中折りされた用紙ｓの搬送を続ける一方、タイマーにより設定された時間ｔａ以上になって、中折りされた用紙ｓの後端が折りローラ２３のニップ部間を通過した場合には、ステップＳ２９に進み、折りローラ２３の回転を停止させた後、ステップ３０に進んで、上記の押込み部材２２を押込み方向と逆方向に移動させる戻し動作を行う。
【００５１】
そして、ステップＳ３１において、押込み部材２２が押込み動作を行う前の元の位置に復帰したかを判断し、押込み部材２２が元の位置に復帰していない場合には、押込み部材２２が元の位置に復帰されるまで、押込み部材２２を戻す戻し動作を続けて行い、押込み部材２２が元の位置に復帰した場合には、ステップＳ３２に進んで、押込み部材２２を戻す戻し動作を停止させて終了する。
【００５２】
なお、上記のように折りローラ２３の回転時間ｔがタイマーにより設定された時間ｔａ以上になって、中折りされた用紙ｓの後端が折りローラ２３のニップ部間を通過した場合に、前記の図６のフローチャートに示した場合と同様に、折りローラ２３を中折り時とは逆方向に回転させて、押込み部材２２を押込み方向と逆方向に移動させるように制御することもできる。
【００５３】
また、中折りされた用紙ｓの後端の通過を検知した後、押込み部材２２を押込み方向と逆方向に移動させて、押込み部材２２が押込み動作を行う前の元の位置に復帰させる場合において、折りローラ２３のニップ部間を通過させる際の負荷を軽減させるため、図９に示すように、上記の対になった折りローラ２３を離間させるようにしたり、また図示していないが、折りローラ２３にワンウェイクラッチを設け、押込み部材２２を押込み方向と逆方向に移動させて、押込み部材２２が押込み動作を行う前の元の位置に復帰させるのに伴って、この対になった折りローラ２３が中折り時とは逆方向に回転されるようにすることもできる。
【符号の説明】
【００５４】
１  画像形成装置
１ａ  排出ローラ
１０  用紙後処理装置
１１ａ，１１ｂ，１１ｃ  搬送ローラ
１２  切換え部材
１３  排紙ローラ
１４  第１排紙トレイ
１５ａ，１５ｂ  搬送ローラ
１６  搬送ローラ
１７  第２排紙トレイ
２０  用紙折り装置
２１  スタッカ
２２  押込み部材
２２ａ  開口部
２３  折りローラ
２４  検知センサ
ｓ  用紙
【図１】
2012224429.tif 000003
【図２】
2012224429.tif 000004
【図３】
2012224429.tif 000005
【図４】
2012224429.tif 000006
【図５】
2012224429.tif 000007
【図６】
2012224429.tif 000008
【図７】
2012224429.tif 000009
【図８】
2012224429.tif 000010
【図９】
2012224429.tif 000011